(57)【特許請求の範囲】
【請求項１】
第１コネクタと、この第１コネクタと嵌合可能な第２コネクタと、前記第１コネクタと前記第２コネクタとのうちいずれか一方のコネクタに設けられ回動によって前記第１コネクタと前記第２コネクタとを嵌合させるレバーとを備え、前記第１コネクタと前記第２コネクタとが嵌合状態でパネルの取付孔に取り付けられるレバー式コネクタであって、
前記レバーは、回動方向の内外方に撓み可能に設けられた係止部を有し、前記一方のコネクタは、前記レバーの回動によって前記係止部を前記レバーの回動方向外方に撓ませ前記第１コネクタと前記第２コネクタとの正規嵌合状態で前記係止部を前記レバーの回動方向内方に撓ませて係止される被係止部を有し、
前記係止部には、前記レバーの回動途中で前記第１コネクタと前記第２コネクタとが前記パネルの取付孔に取り付けられたときに前記取付孔の縁部に当接される当接部が設けられていることを特徴とするレバー式コネクタ。
【請求項２】
請求項１記載のレバー式コネクタであって、
前記一方のコネクタには、前記当接部が前記取付孔の縁部に当接されたときに前記取付孔の縁部に当接される当接増強部が設けられていることを特徴とするレバー式コネクタ。
【請求項３】
請求項１又は２記載のレバー式コネクタであって、
前記一方のコネクタには、前記第１コネクタと前記第２コネクタとの正規嵌合状態で前記係止部の前記レバーの回動方向外方への撓みを規制する規制部が設けられていることを特徴とするレバー式コネクタ。
【発明の詳細な説明】
【技術分野】
【０００１】
本発明は、パネルに取り付けられるレバー式コネクタに関する。
【背景技術】
【０００２】
従来、パネルに取り付けられるレバー式コネクタとしては、第１コネクタと、この第１コネクタと嵌合可能な第２コネクタと、第１コネクタに設けられ回動によって第１コネクタと第２コネクタとを嵌合させるレバーとを備え、第１コネクタと第２コネクタとが嵌合状態でパネルの取付孔に取り付けられるものが知られている（例えば、特許文献１参照）。
【０００３】
このレバー式コネクタでは、レバーに、コネクタ同士が正規嵌合状態であるときにはパネルの取付孔の孔縁とは非干渉であり、コネクタ同士が半嵌合状態であるときには取付孔の孔縁と干渉する干渉部が形成されている。この干渉部により、両コネクタをパネルの取付孔に取り付ける過程で、干渉部が取付孔の孔縁と干渉するか否かによって、両コネクタの嵌合状態を検知することができる。
【先行技術文献】
【特許文献】
【０００４】
【特許文献１】特開２００２−３５９０３７号公報
【発明の概要】
【発明が解決しようとする課題】
【０００５】
しかしながら、上記のようなレバー式コネクタでは、干渉部がレバーの回動方向後面側となる側面に設けられているので、レバーがコネクタの嵌合方向に対して水平方向に近くなると、干渉部と取付孔の縁部との干渉が小さくなり、コネクタ同士が半嵌合状態であるにも関わらず、この半嵌合状態を検知することが困難であった。加えて、この半嵌合状態の検知を向上させるために、干渉部をレバーの回動方向外方に張り出させることが考えられるが、レバー式コネクタが大型化してしまう恐れがある。
【０００６】
そこで、この発明は、大型化を抑制してコネクタ同士の半嵌合状態の検知を向上することができるレバー式コネクタの提供を目的としている。
【課題を解決するための手段】
【０００７】
請求項１記載の発明は、第１コネクタと、この第１コネクタと嵌合可能な第２コネクタと、前記第１コネクタと前記第２コネクタとのうちいずれか一方のコネクタに設けられ回動によって前記第１コネクタと前記第２コネクタとを嵌合させるレバーとを備え、前記第１コネクタと前記第２コネクタとが嵌合状態でパネルの取付孔に取り付けられるレバー式コネクタであって、前記レバーは、回動方向の内外方に撓み可能に設けられた係止部を有し、前記一方のコネクタは、前記レバーの回動によって前記係止部を前記レバーの回動方向外方に撓ませ前記第１コネクタと前記第２コネクタとの正規嵌合状態で前記係止部を前記レバーの回動方向内方に撓ませて係止される被係止部を有し、前記係止部には、前記レバーの回動途中で前記第１コネクタと前記第２コネクタとが前記パネルの取付孔に取り付けられたときに前記取付孔の縁部に当接される当接部が設けられていることを特徴とする。
【０００８】
このレバー式コネクタでは、レバーが回動方向の内外方に撓み可能に設けられた係止部を有し、一方のコネクタがレバーの回動によって係止部をレバーの回動方向外方に撓ませ第１コネクタと第２コネクタとの正規嵌合状態で係止部をレバーの回動方向内方に撓ませて係止される被係止部を有しているので、コネクタ同士の半嵌合状態でレバーの回動方向外方に張り出す部分を被係止部によって撓まされた係止部のみとすることができ、レバー式コネクタの大型化を抑制することができる。
【０００９】
また、このような係止部には、レバーの回動途中で第１コネクタと第２コネクタとがパネルの取付孔に取り付けられたときに取付孔の縁部に当接される当接部が設けられており、係止部はコネクタ同士が正規嵌合状態とならない限りレバーの回動方向内方に撓まされないので、レバーがコネクタの嵌合方向に対して水平方向に近くなったとしても、レバーの回動方向外方に撓まされた係止部の当接部が取付孔の縁部に当接され、コネクタ同士の半嵌合状態を検知することができる。
【００１０】
従って、このようなレバー式コネクタでは、大型化を抑制してコネクタ同士の半嵌合状態の検知を向上することができる。
【００１１】
請求項２記載の発明は、請求項１記載のレバー式コネクタであって、前記一方のコネクタには、前記当接部が前記取付孔の縁部に当接されたときに前記取付孔の縁部に当接される当接増強部が設けられていることを特徴とする。
【００１２】
このレバー式コネクタでは、一方のコネクタに当接部が取付孔の縁部に当接されたときに取付孔の縁部に当接される当接増強部が設けられているので、当接部によるコネクタ同士の半嵌合状態の検知に加えて、当接増強部と取付孔の縁部との当接によってもコネクタ同士の半嵌合状態を検知することができ、コネクタ同士の半嵌合状態の検知をさらに向上することができる。
【００１３】
請求項３記載の発明は、請求項１又は２記載のレバー式コネクタであって、前記一方のコネクタには、前記第１コネクタと前記第２コネクタとの正規嵌合状態で前記係止部の前記レバーの回動方向外方への撓みを規制する規制部が設けられていることを特徴とする。
【００１４】
このレバー式コネクタでは、一方のコネクタに第１コネクタと第２コネクタとの正規嵌合状態で係止部のレバーの回動方向外方への撓みを規制する規制部が設けられているので、コネクタ同士の正規嵌合状態で規制部によって係止部と被係止部との係止が解除されることがなく、コネクタ同士の正規嵌合状態を保持することができる。
【発明の効果】
【００１５】
本発明によれば、大型化を抑制してコネクタ同士の半嵌合状態の検知を向上することができるレバー式コネクタを提供することができるという効果を奏する。
【図面の簡単な説明】
【００１６】
【図１】本発明の実施の形態に係るレバー式コネクタの分解斜視図である。
【図２】（ａ）は本発明の実施の形態に係るレバー式コネクタの正面図である。（ｂ）は本発明の実施の形態に係るレバー式コネクタの側面図である。
【図３】（ａ）は本発明の実施の形態に係るレバー式コネクタの第１コネクタと第２コネクタとが仮係止状態のときの側面図である。（ｂ）は図３（ａ）の断面図である。
【図４】（ａ）は本発明の実施の形態に係るレバー式コネクタの第１コネクタと第２コネクタとが仮係止解除状態のときの側面図である。（ｂ）は図４（ａ）の断面図である。
【図５】（ａ）は本発明の実施の形態に係るレバー式コネクタの第１コネクタと第２コネクタとが正規嵌合となる前の状態のときの側面図である。（ｂ）は図５（ａ）の断面図である。
【図６】（ａ）は本発明の実施の形態に係るレバー式コネクタの第１コネクタと第２コネクタとが正規嵌合状態のときの側面図である。（ｂ）は図６（ａ）の断面図である。
【発明を実施するための形態】
【００１７】
図１〜図６を用いて本発明の実施の形態に係るレバー式コネクタについて説明する。
【００１８】
本実施の形態に係るレバー式コネクタ１は、第１コネクタ３と、この第１コネクタ３と嵌合可能な第２コネクタ５と、第１コネクタ３に設けられ回動によって第１コネクタ３と第２コネクタ５とを嵌合させるレバー７とを備え、第１コネクタ３と第２コネクタ５とが嵌合状態でパネル９の取付孔１１に取り付けられる。
【００１９】
また、レバー７は、回動方向の内外方に撓み可能に設けられた係止部１３を有し、第１コネクタ３は、レバー７の回動によって係止部１３をレバー７の回動方向外方に撓ませ第１コネクタ３と第２コネクタ５との正規嵌合状態で係止部１３をレバー７の回動方向内方に撓ませて係止される被係止部１５を有している。
【００２０】
そして、係止部１３には、レバー７の回動途中で第１コネクタ３と第２コネクタ５とがパネル９の取付孔１１に取り付けられたときに取付孔１１の縁部に当接される当接部１７が設けられている。
【００２１】
また、第１コネクタ３には、当接部１７が取付孔１１の縁部に当接されたときに取付孔１１の縁部に当接される当接増強部１９が設けられている。
【００２２】
さらに、第１コネクタ３には、第１コネクタ３と第２コネクタ５との正規嵌合状態で係止部１３のレバー７の回動方向外方への撓みを規制する規制部２１が設けられている。
【００２３】
図１〜図６に示すように、第１コネクタ３は、インナハウジング２３と、フレーム２５とからなる。インナハウジング２３は、２つの筐体部材を上下に２段重ねた構造となっており、内部に複数の端子２７が収容されている。このインナハウジング２３は、フレーム２５内に収容される。
【００２４】
フレーム２５は、内部にインナハウジング２３を収容し、外部に弾性変形可能に設けられた複数（ここでは４箇所）のパネルロック２９によってパネル９の取付孔１１に取り付けられる。このフレーム２５内に収容されたインナハウジング２３は、フレーム２５内で第２コネクタ５と嵌合される。
【００２５】
第２コネクタ５は、インナハウジング２３よりも大きな２つの筐体部材を上下に２段重ねた構造となっており、内部に複数の端子２７に接続される複数の相手端子３１が収容されている。また、第２コネクタ５の両側面には、レバー７のカム溝３３に挿入されるカムフォロア３５がそれぞれ突設されている。この第２コネクタ５は、カムフォロア３５をカム溝３３に挿入し、レバー７の回動によってインナハウジング２３と嵌合され、複数の端子２７と複数の相手端子３１とが接続される。
【００２６】
レバー７は、両側面にそれぞれ設けられた軸支部３７でフレーム２５に回動可能に組み付けられている。このレバー７は、第２コネクタ５のカムフォロア３５がカム溝３３に挿入された状態、すなわち第１コネクタ３と第２コネクタ５の仮嵌合状態で、操作部３９を押圧操作することにより回動し、てこ作用によって第１コネクタ３と第２コネクタ５とを正規嵌合状態とさせる。このようなレバー７には、フレーム２５の被係止部１５に係止される係止部１３が設けられている。
【００２７】
係止部１３は、レバー７の操作部３９側にレバー７の回動方向の内外方に撓み可能に設けられている。ここで、レバー７の回動方向の内外方とは、レバー７の回動によって描かれる軌跡に対する内方と外方を示すものとする。すなわち、ここでは、回動方向の内方がレバー７の回動の軌跡から軸支部３７に向かう方向となり、回動方向の外方がレバー７の回動の軌跡から外側に離れる方向となる。この係止部１３は、レバー７の回動操作の後半で被係止部１５に当接され、レバー７の回動操作の終了時に被係止部１５に係止される。
【００２８】
被係止部１５は、フレーム２５の下面に突設され、頂部から両側に下り傾斜となる傾斜面が設けられている。この被係止部１５は、レバー７の回動操作によって係止部１３が当接されると、係止部１３をレバー７の回動方向外方に撓ませる。この状態からさらにレバー７の回動操作を継続すると、係止部１３が被係止部１５を乗り越えて係止部１３がレバー７の回動方向内方に向けて復元され、係止部１３が被係止部１５に係止される。この係止部１３と被係止部１５との係止により、第１コネクタ３と第２コネクタ５との正規嵌合状態が保持される。
【００２９】
この係止部１３と被係止部１５との係止状態では、係止部１３がフレーム２５に設けられた規制部２１内に配置される。この規制部２１は、係止部１３の周囲を覆うようにフレーム２５に設けられており、不意な外力などによって係止部１３がレバー７の回動方向外方に撓まされたとしても、係止部１３に当接して係止部１３と被係止部１５との係止が解除されることを防止する。このような係止部１３には、当接部１７が設けられている。
【００３０】
当接部１７は、係止部１３のレバー７の回動方向外方側の側面となっており、第１コネクタ３と第２コネクタ５とが正規嵌合状態に至っていない半嵌合状態であるレバー７の回動途中で、第１コネクタ３と第２コネクタ５とがパネル９の取付孔１１に取り付けられたときに取付孔１１の縁部に当接される。また、フレーム２５の上面には、当接部１７が取付孔１１の縁部に当接されたときに取付孔１１の縁部に当接される当接増強部１９が突設されている。
【００３１】
この当接部１７及び当接増強部１９は、パネル９にレバー式コネクタ１を組み付けるときに、図３に示すように、レバー７のカム溝３３に第２コネクタ５のカムフォロア３５が挿入された第１コネクタ３と第２コネクタ５とが仮係止状態である場合、当接部１７はパネル９の取付孔１１の下端縁部に当接され、当接増強部１９は取付孔１１の上端縁部に当接される。この当接により、第１コネクタ３と第２コネクタ５との半嵌合状態を検知することができる。
【００３２】
また、パネル９にレバー式コネクタ１を組み付けるときに、図４に示すように、仮係止状態からレバー７の回動を開始した第１コネクタ３と第２コネクタ５とが仮係止解除状態である場合、当接増強部１９の当接は回避されるが、当接部１７はパネル９の取付孔１１の下端縁部に当接される。この当接により、第１コネクタ３と第２コネクタ５との半嵌合状態を検知することができる。
【００３３】
さらに、パネル９にレバー式コネクタ１を組み付けるときに、図５に示すように、レバー７が第１コネクタ３と第２コネクタ５の嵌合方向に対して水平方向に近くになり、レバー７の係止部１３がフレーム２５の被係止部１５によってレバー７の回動方向外方に撓まされた状態である場合、当接部１７のパネル９への取付方向後端側が取付孔１１の下端縁部よりも外方に突出される。このため、パネル９へのレバー式コネクタ１の取り付けをこの状態のまま継続すると、当接部１７がパネル９の取付孔１１の下端縁部に当接される。この当接により、第１コネクタ３と第２コネクタ５との半嵌合状態を検知することができる。
【００３４】
また、パネル９にレバー式コネクタ１を組み付けるときに、図６に示すように、レバー７の回動が正規に完了した第１コネクタ３と第２コネクタ５とが正規嵌合状態である場合、係止部１３が被係止部１５を乗り越えてレバー７の回動方向内方に復元されているので、当接部１７とパネル９の取付孔１１の下端縁部との当接が回避される。そして、パネル９の取付孔１１にフレーム２５の複数のパネルロック２９を係止させることにより、第１コネクタ３と第２コネクタ５とが正規嵌合状態であるレバー式コネクタ１がパネル９に取り付けられる。
【００３５】
なお、図４や図５に示すような第１コネクタ３と第２コネクタ５とが半嵌合状態である場合において、レバー式コネクタ１をパネル９の取付孔１１の上方にずらして当接部１７と取付孔１１の下端縁部との当接を回避することが考えられる。しかしながら、この場合には、当接増強部１９が取付孔１１の上端縁部に当接されるので、第１コネクタ３と第２コネクタ５との半嵌合状態を検知することができる。
【００３６】
このようなレバー式コネクタ１では、レバー７が回動方向の内外方に撓み可能に設けられた係止部１３を有し、第１コネクタ３がレバー７の回動によって係止部１３をレバー７の回動方向外方に撓ませ第１コネクタ３と第２コネクタ５との正規嵌合状態で係止部１３をレバー７の回動方向内方に撓ませて係止される被係止部１５を有しているので、コネクタ３，５同士の半嵌合状態でレバー７の回動方向外方に張り出す部分を被係止部１５によって撓まされた係止部１３のみとすることができ、レバー式コネクタ１の大型化を抑制することができる。
【００３７】
また、このような係止部１３には、レバー７の回動途中で第１コネクタ３と第２コネクタ５とがパネル９の取付孔１１に取り付けられたときに取付孔１１の縁部に当接される当接部１７が設けられており、係止部１３はコネクタ３，５同士が正規嵌合状態とならない限りレバー７の回動方向内方に撓まされないので、レバー７がコネクタ３，５の嵌合方向に対して水平方向に近くなったとしても、レバー７の回動方向外方に撓まされた係止部１３の当接部１７が取付孔１１の縁部に当接され、コネクタ３，５同士の半嵌合状態を検知することができる。
【００３８】
従って、このようなレバー式コネクタ１では、大型化を抑制してコネクタ３，５同士の半嵌合状態の検知を向上することができる。
【００３９】
また、第１コネクタ３に当接部１７が取付孔１１の縁部に当接されたときに取付孔１１の縁部に当接される当接増強部１９が設けられているので、当接部１７によるコネクタ３，５同士の半嵌合状態の検知に加えて、当接増強部１９と取付孔１１の縁部との当接によってもコネクタ３，５同士の半嵌合状態を検知することができ、コネクタ３，５同士の半嵌合状態の検知をさらに向上することができる。
【００４０】
さらに、第１コネクタ３に第１コネクタ３と第２コネクタ５との正規嵌合状態で係止部１３のレバー７の回動方向外方への撓みを規制する規制部２１が設けられているので、コネクタ３，５同士の正規嵌合状態で規制部２１によって係止部１３と被係止部１５との係止が解除されることがなく、コネクタ３，５同士の正規嵌合状態を保持することができる。
【００４１】
なお、本発明の実施の形態に係るレバー式コネクタでは、第１コネクタにレバーが設けられた構成となっているが、第２コネクタにレバーを設けた構成としてもよい。
【００４２】
また、第１コネクタは、インナハウジングとフレームとが別体で形成されて一体的に組み付けられているが、インナハウジングとフレームとを一体的に形成してもよい。
【符号の説明】
【００４３】
１…レバー式コネクタ
３…第１コネクタ
５…第２コネクタ
７…レバー
９…パネル
１１…取付孔
１３…係止部
１５…被係止部
１７…当接部
１９…当接増強部
２１…規制部
【図１】
0005789139.tif 000002
【図２】
0005789139.tif 000003
【図３】
0005789139.tif 000004
【図４】
0005789139.tif 000005
【図５】
0005789139.tif 000006
【図６】
0005789139.tif 000007